(57)【要約】【課題】押し回しの際の摩擦力を軽減した使い勝手のよい天井用照明器具を提供する。【解決手段】水平に配置されるほぼ平板状の器具本体１を備える。前記器具本体１の下面側に回転引掛け式に着脱自在に装着される円形かつ椀状の透光カバー６を備える。前記器具本体１の周囲に下向きに折れ曲がる下折縁２を形成する。前記器具本体１の下面周囲における前記下折縁２の内側の位置に柔軟体５を装着する。前記柔軟体５は帯条かつ輪状を呈するものである。前記柔軟体５は前記器具本体１に接着される基部１０と該基部１０に植毛された毛様部１１を具備するものである。前記透光カバー６の周縁を前記柔軟体５における前記毛様部１１に圧接させる。【選択図】図２
2005353562.tif 000002
【特許請求の範囲】
【請求項１】
水平に配置されるほぼ平板状の器具本体を備え、前記器具本体の下面側に回転引掛け式に着脱自在に装着される円形かつ椀状の透光カバーを備え、前記器具本体の周囲に下向きに折れ曲がる下折縁を形成し、前記器具本体の下面周囲における前記下折縁の内側の位置に柔軟体を装着し、前記柔軟体は帯条かつ輪状を呈するものであり、前記柔軟体は前記器具本体に接着される基部と該基部に植毛された毛様部を具備するものであり、前記透光カバーの周縁を前記柔軟体における前記毛様部に圧接させたことを特徴とする天井用照明器具。
【請求項２】
水平に配置されるほぼ平板状の器具本体を備え、前記器具本体の下面側に回転引掛け式に着脱自在に装着される円形かつ椀状の透光カバーを備え、前記器具本体の周囲に下向きに折れ曲がる下折縁を形成し、前記下折縁の下部に柔軟体を装着し、前記柔軟体は帯条かつ輪状を呈するものであり、前記柔軟体は下折縁の下部に接着される基部と該基部に植毛された毛様部を具備するものであり、前記透光カバーに前記柔軟体における前記毛様部を圧接させたことを特徴とする天井用照明器具。
【請求項３】
水平に配置されるほぼ平板状の器具本体を備え、前記器具本体の下面側に回転引掛け式に着脱自在に装着される円形かつ椀状の透光カバーを備え、前記器具本体の周囲に下向きに折れ曲がる下折縁を形成し、前記透光カバーの周縁部に柔軟体を装着し、前記柔軟体は帯条かつ輪状を呈するものであり、前記柔軟体は前記透光カバーに接着される基部と該基部に植毛された毛様部を具備するものであり、前記器具本体の下面を前記柔軟体における前記毛様部に圧接させたことを特徴とする天井用照明器具。
【請求項４】
水平に配置されるほぼ平板状の器具本体を備え、前記器具本体の下面側に回転引掛け式に着脱自在に装着される円形かつ椀状の透光カバーを備え、前記器具本体の周囲に下向きに折れ曲がる下折縁を形成し、前記透光カバーに柔軟体を装着し、前記柔軟体は帯条かつ輪状を呈するものであり、前記柔軟体は前記透光カバーに接着される基部と該基部に植毛された毛様部を具備するものであり、前記器具本体の前記下折縁を前記柔軟体における前記毛様部に圧接させたことを特徴とする天井用照明器具。
【請求項５】
請求項１に記載された天井用照明器具において、前記基部は、平板リング状に形成されると共に、前記下折縁の内側に位置する前記器具本体の平坦部分の下面に接着され、前記毛様部は前記基部の下面全体に多数の細長い毛様体が立設されて構成され、前記透光カバーは、上端部に水平方向外方に延びる周縁鍔部を有する圧空成形樹脂部材で形成されると共に、前記周縁鍔部の平面部が前記毛様部に面圧設され回転された状態で前記器具本体の係止部に係止されたことを特徴とする天井用照明器具。
【発明の詳細な説明】
【技術分野】
【０００１】
本発明は、水平に配置されるほぼ平板状の器具本体を備え、前記器具本体の下面側に回転引掛け式に着脱自在に装着される円形かつ椀状の透光カバーを備えた天井用照明器具に関するものである。
【背景技術】
【０００２】
回転引掛け式の天井用照明器具では、天井面に装着されている器具本体に対して、透光カバーを下側から押し当て、たとえば右回りに少し回して両者を着脱自在に装着する、いわば押し回しの要領で装着するようになっている。透光カバーを外す場合は、逆に左回りに少し回すことにより、器具本体から透光カバーを取外すものである。
【０００３】
大形部品となることの多い透光カバーを両手で持ち上げながら押し回しをする作業は困難な作業であるため、押し回しの際の器具本体・透光カバー間の摩擦力をできるだけ小さくして、押し回し作業を容易にすることが望ましい。しかし、この摩擦力を少なくすることは簡単ではない。その一つの理由は、圧空成形品で構成される透光カバーの板厚のばらつきが大きいためである。そこで、器具本体とこれに装着された透光カバーとの間に隙間（あそび）を設けることが必要となるが、過度の隙間を設けると、その隙間を通して内部に虫が侵入するという問題が発生する。
【０００４】
従来の回転引掛け式の天井用照明器具として、例えば特開平１１−２３８４０９号公報（特許文献１）の図７に示されるように、器具本体の天板とグローブの立ち上がり部の先端とがスポンジ状パッキンを介して当接するように構成して防虫性を確保するようにしたものがある。
【０００５】
【特許文献１】特開平１１−２３８４０９号公報（図７）
【発明の開示】
【発明が解決しようとする課題】
【０００６】
しかし、特許文献１では、スポンジ状パッキンにグローブの立ち上がり部の先端を当接して防虫を図っているため、確実な防虫と押し回しの作業性とを両立させることが難しいという課題があった。すなわち、特許文献１では、グローブの立ち上がり部の先端をスポンジ状パッキンの下面に当接するようにして押し回しの作業性を良好にするように配慮しているが、スポンジ状パッキンを長時間かかる状態におくと、スポンジ状パッキンの当接部が塑性変形して器具本体とグローブとの間に虫が侵入するような隙間が生ずるおそれがあった。そこで、グローブの平面部をスポンジ状のパッキンに当接することが考えられるが、その場合にはグローブの平面部とスポンジ状パッキンとの摩擦係数が大きくなって、押し回し作業が極めて悪くなるという問題が生ずる。
【０００７】
本発明の目的は、内部に虫が侵入することを確実に防止しつつ押し回しの際の摩擦力を軽減した使い勝手のよい天井用照明器具を提供することである。
【課題を解決するための手段】
【０００８】
前記目的を達成するために、本発明は、水平に配置されるほぼ平板状の器具本体を備え、前記器具本体の下面側に回転引掛け式に着脱自在に装着される円形かつ椀状の透光カバーを備え、前記器具本体の周囲に下向きに折れ曲がる下折縁を形成し、前記器具本体の下面周囲における前記下折縁の内側の位置に柔軟体を装着し、前記柔軟体は帯条かつ輪状を呈するものであり、前記柔軟体は前記器具本体に接着される基部と該基部に植毛された毛様部を具備するものであり、前記透光カバーの周縁を前記柔軟体における前記毛様部に圧接させた構成としたものである。
【０００９】
そして、好ましくは、前記基部は、平板リング状に形成されると共に、前記下折縁の内側に位置する前記器具本体の平坦部分の下面に接着され、前記毛様部は前記基部の下面全体に多数の細長い毛様体が立設されて構成され、前記透光カバーは、上端部に水平方向外方に延びる周縁鍔部を有する圧空成形樹脂部材で形成されると共に、前記周縁鍔部の平面部が前記毛様部に面圧設され回転された状態で前記器具本体の係止部に係止された構成としたものである。
【００１０】
前記目的を達成するために、本発明は、水平に配置されるほぼ平板状の器具本体を備え、前記器具本体の下面側に回転引掛け式に着脱自在に装着される円形かつ椀状の透光カバーを備え、前記器具本体の周囲に下向きに折れ曲がる下折縁を形成し、前記下折縁の下部に柔軟体を装着し、前記柔軟体は帯条かつ輪状を呈するものであり、前記柔軟体は下折縁の下部に接着される基部と該基部に植毛された毛様部を具備するものであり、前記透光カバーに前記柔軟体における前記毛様部を圧接させた構成としたものである。
【００１１】
前記目的を達成するために、本発明は、水平に配置されるほぼ平板状の器具本体を備え、前記器具本体の下面側に回転引掛け式に着脱自在に装着される円形かつ椀状の透光カバーを備え、前記器具本体の周囲に下向きに折れ曲がる下折縁を形成し、前記透光カバーの周縁部に柔軟体を装着し、前記柔軟体は帯条かつ輪状を呈するものであり、前記柔軟体は前記透光カバーに接着される基部と該基部に植毛された毛様部を具備するものであり、前記器具本体の下面を前記柔軟体における前記毛様部に圧接させた構成としたものである。
【００１２】
前記目的を達成するために、本発明は、前記器具本体の下面側に回転引掛け式に着脱自在に装着される円形かつ椀状の透光カバーを備え、前記器具本体の周囲に下向きに折れ曲がる下折縁を形成し、前記透光カバーに柔軟体を装着し、前記柔軟体は帯条かつ輪状を呈するものであり、前記柔軟体は前記透光カバーに接着される基部と該基部に植毛された毛様部を具備するものであり、前記器具本体の前記下折縁を前記柔軟体における前記毛様部に圧接させた構成としたものである。
【発明の効果】
【００１３】
本発明によれば、内部に虫が侵入することを確実に防止しつつ押し回しの際の摩擦力を軽減した使い勝手のよい天井用照明器具を提供することができる。
【発明を実施するための最良の形態】
【００１４】
以下、本発明の複数の実施例の天井用照明器具について図を用いて説明する。
【実施例１】
【００１５】
本発明の実施例１の天井用照明器具について図１、図２、図６及び図７を用いて説明する。これらの図の天井用照明器具は請求項１、５の発明に対応する。
【００１６】
本実施例の天井用照明器具は、器具本体１、光源３、カバー取付具４、取付具上端部５、及び透光カバー６を備えて構成されている。
【００１７】
器具本体１は、水平に配置されるほぼ平板状の部材であり、具体的には、金属板より基本形状が円板状に形成され、中央部が若干下方に沈んだ凹部を有している。そして、器具本体１の中央部が天井面などに取り付けられる吊り具１５（図８参照）に係着されることにより、器具本体１は天井面に吊られ下げられる。なお、器具本体１は吊り具１５に係着自在となっており、天井面から取外すことができる。
【００１８】
前記器具本体１の周囲には下向きに折れ曲がる下折縁２が形成されている。この下折縁２は器具本体１の外周部の強度を増大する目的などのために形成されている。下折縁２の内側に位置する器具本体１の部分は全周にわたって平坦部分となっている。
【００１９】
器具本体１の下面に環状蛍光ランプなどからなる光源３が設置されている。この光源３は、器具本体１と透光カバー６とで形成される空間内に収納される。
【００２０】
器具本体１の下面の外周部に複数の鉤状のカバー取付具４が間隔をあけて配置されている。この複数のカバー取付具４はカバー上端部６ａの内周より若干小さい円周上に等間隔に配置されている。カバー取付具４は、その取付具上端部４ａが器具本体１の下面に固着されると共に、透光カバー６を係合するための取付具係合部が器具本体１の下面から所定間隔の位置に形成されている。
【００２１】
器具本体１の下面側に回転引掛け式に着脱自在に装着される円形かつ椀状の透光カバー６が備えられている。透光カバー６は、カバー本体部６ａと、このカバー本体部６ａの上端から中央側に若干上方に傾斜して延びるカバー上面部６ｂと、このカバー上面部６ｂから延びるカバー上端部６ｃとから構成されている。そして、透光カバー６は圧空成形機で成形された圧空成形樹脂部材で構成されている。
【００２２】
カバー上端部６ｃは、図６に示すように、中央部側に延びる水平部１３と、この水平部１３から上方に延びる立ち上がり部１２と、この立ち上がり部１２から水平方向外方に延びるカバー周縁鍔部７とからなる断面コ字状の部分で構成されている。周縁鍔部１７は圧空成形による変形がなされた箇所の周囲に残る原形部分である。このカバー上端部６ｃには、カバー取付具４の数に対応する複数のカバー凸部８が設けられている。このカバー凸部８は、透光カバー６の圧空成形時に一体に立ち上がり部１２の一部から内方に突出して形成される。
【００２３】
器具本体１の下面周囲における下折縁２の内側の位置に柔軟体５が装着されている。柔軟体５は帯条かつ輪状を呈するものである。柔軟体５は、前記器具本体１に接着される基部１０と、該基部１０に植毛されたポリプロピレンなどの毛様部１１とを具備するものである。基部１０は、ポリプロピレンなどで平板リング状に形成されると共に、下折縁２の内側に位置する器具本体１の平坦部分の下面に接着されている。毛様部１１は、基部１０の下面全体に多数の細長い毛様体が立設されて構成され、その先端側が特に柔軟性を有するものである。
【００２４】
透光カバー６を器具本体１に取り付ける方法は、基本的には次の通りである。透光カバー６のカバー上端部６ｃが器具本体１の下折縁２内に位置するように透光カバー６を両手で持ち上げて図７（ａ）に示す状態とした後、図７（ａ）の白抜き矢印に示すように回転させ（即ち、押し回し）、図７（ｂ）及び図８に示す状態として、カバー上端部６ｃのカバー凸部８を器具本体１のカバー取付具４に係合することにより、透光カバー６を器具本体１に吊下げる。
【００２５】
係る取り付け方法をさらに具体的に説明する。
【００２６】
まず、図７（ａ）に示す位置でカバー上端部６ｃを下折縁２内に挿入させ、カバー周縁鍔部７の平面部を毛様部１１に下方から全面的に圧設した状態とする。このようにカバー周縁鍔部７の平面部を毛様部１１に圧設すると、その毛様体が例えば内周側と外周側と分かれて変形される。従って、その圧設作業に大きな力を必要せず、極めて容易に圧接した状態とすることができる。
【００２７】
この状態から透光カバー６を図７（ａ）の白抜き矢印に示すように回転させ、図７（ｂ）及び図８に示すようにカバー凸部８をカバー取付具４の取付具係合部４ｂに係合する。透光カバー６を回転させると、カバー周縁鍔部７の平面部の移動方向に毛様体がそれに沿うように変形される（図６の毛様部１１の状態を参照）。従って、その回転作業に大きな力を必要せず、極めて容易に回転させることができる。
【００２８】
カバー凸部８が取付具係合部４ｂに係合された状態では、毛様部１１はカバー周縁鍔部７により圧設されているので、毛様部１１の毛様体が変形されてカバー周縁鍔部７と器具本体１（具体的には基部１０）との間における各毛様体間の隙間が小さくなる。これによって、毛様部１１を通して虫が内部に侵入することを防止することができる。本実施例では、特に、カバー周縁鍔部７の平面部で毛様部１１の下面全体を圧設しているので、各毛様体間の隙間を極めて小さくすることができ、虫の侵入をより一層確実に防止することができる。
【００２９】
そして、透光カバー６を器具本体１から取り外す際には、上述した取り付け方法と逆の方法により容易に行なうことができる。
【実施例２】
【００３０】
次に、図３に示す実施例２について説明する。部品符号は前記実施例１のものをそのまま転用し、その説明の一部をここに援用する。図３の天井用照明器具は請求項２に対応する。
【００３１】
この天井用照明器具は水平に配置されるほぼ平板状の器具本体１を備える。前記器具本体１の下面側に回転引掛け式に着脱自在に装着される円形かつ椀状の透光カバー６を備える。前記器具本体１の周囲に下向きに折れ曲がる下折縁２を形成する。前記下折縁２の下部に柔軟体５を装着する。前記柔軟体５は帯条かつ輪状を呈するものである。前記柔軟体５は下折縁２の下部に接着される基部と該基部に植毛された毛様部１１を具備するものである。前記透光カバー６に前記柔軟体５における前記毛様部１１を圧接させる。その他の点は実施例１と同一であるため、その説明を省略する。
【実施例３】
【００３２】
次に、図４に示す実施例３について説明する。部品符号は前記実施例１のものをそのまま転用し、その説明の一部をここに援用する。図４の天井用照明器具は請求項３に対応する。
【００３３】
この天井用照明器具は、水平に配置されるほぼ平板状の器具本体１を備える。前記器具本体１の下面側に回転引掛け式に着脱自在に装着される円形かつ椀状の透光カバー６を備える。前記器具本体１の周囲に下向きに折れ曲がる下折縁を形成する。前記透光カバー６の周縁部に柔軟体５を装着する。前記柔軟体５は帯条かつ輪状を呈するものである。前記柔軟体５は前記透光カバー６に接着される基部と該基部に植毛された毛様部を具備するものである。前記器具本体１の下面を前記柔軟体５における前記毛様部に圧接させる。その他の点は実施例１と同一であるため、その説明を省略する。
【実施例４】
【００３４】
図５に示す実施例４について説明する。部品符号は前記実施例１のものをそのまま転用し、その説明の一部をここに援用する。図５の天井用照明器具は請求項４に対応する。
【００３５】
この天井用照明器具は、水平に配置されるほぼ平板状の器具本体１を備える。前記器具本体１の下面側に回転引掛け式に着脱自在に装着される円形かつ椀状の透光カバー６を備える。前記器具本体１の周囲に下向きに折れ曲がる下折縁２を形成する。前記透光カバー６に柔軟体５を装着する。前記柔軟体５は帯条かつ輪状を呈するものである。前記柔軟体５は前記透光カバー６に接着される基部１０と該基部１０に植毛された毛様部を具備するものである。前記器具本体１の前記下折縁２を前記柔軟体５における前記毛様部に圧接させる。その他の点は実施例１と同一であるため、その説明を省略する。
【００３６】
以上の各請求項に係る発明において、透光カバー６の着脱の際は前記透光カバー６を少し回転させ、凸部８・カバー取付具４間を係合させ、あるいは該係合を解除するが、該回転に伴なう摩擦は微小であり、作業性が向上する。回転に伴ない、柔軟体５の毛様部１１が回転方向に略一様に傾斜し、毛様部１１の見かけ上の高さ寸法が減少し、摩擦抵抗が少なくなる。器具本体１・透光カバー６間との間の隙間は成形上の都合でばらつくが、該隙間に毛様部１１を有する柔軟体５が介在して内部への虫の侵入を阻止する。
【図面の簡単な説明】
【００３７】
【図１】本発明の実施例１に係る天井用照明器具の分解斜視図である。
【図２】実施例１に係る天井用照明器具の要部断面図である。
【図３】実施例２に係る天井用照明器具の要部断面図である。
【図４】実施例３に係る天井用照明器具の要部断面図である。
【図５】実施例４に係る天井用照明器具の要部断面図である。
【図６】実施例１に係る天井用照明器具の要部断面図である。
【図７】実施例１に係る天井用照明器具の図２のＡ−Ａ断面相当図である。
【図８】本発明の実施例１に係る天井用照明器具の縦断面図である。
【符号の説明】
【００３８】
１…器具本体、２…下折縁、３…光源、４…カバー取付具、４ａ…取付具上端部、４ｂ…取付具係合部、５…柔軟体、６…透光カバー、６ａ…カバー底面部、６ｂ…カバー本体部、６ｃ…カバー上端部、７…カバー周縁鍔部、８…カバー凸部、９…内面壁、１０…基部、１１…毛様部、１２…立ち上がり部、１３…水平部、１４…カバー上端部、１５…吊り具。
【図１】
2005353562.tif 000003
【図２】
2005353562.tif 000004
【図３】
2005353562.tif 000005
【図４】
2005353562.tif 000006
【図５】
2005353562.tif 000007
【図６】
2005353562.tif 000008
【図７】
2005353562.tif 000009
【図８】
2005353562.tif 000010